(57)【要約】【課題】  植物の生育により有効であり、病害抑制性能にも優れた散布型肥料を提供する。【解決手段】  粒子（Ａ）と、多糖（Ｂ）と、水とを含有する散布型肥料であって、前記粒子（Ａ）が金属（ａ）酸化物及び／又は金属（ａ）塩であり、前記金属（ａ）が、亜鉛、マンガン、鉄、モリブデン、銅、セリウム、銀及びアルミニウムからなる群から選ばれる少なくとも１種であり、前記粒子（Ａ）の体積平均粒子径が１〜４００ｎｍである散布型肥料（Ｘ）。【選択図】  なし【特許請求の範囲】
【請求項１】
粒子（Ａ）と、多糖（Ｂ）と、水とを含有する散布型肥料であって、
前記粒子（Ａ）が金属（ａ）酸化物及び／又は金属（ａ）塩であり、
前記金属（ａ）が、亜鉛、マンガン、鉄、モリブデン、銅、セリウム、銀及びアルミニウムからなる群から選ばれる少なくとも１種であり、
前記粒子（Ａ）の体積平均粒子径が１〜４００ｎｍである散布型肥料（Ｘ）。
【請求項２】
前記金属（ａ）塩が、金属（ａ）と炭素数１〜２４のカルボン酸との塩である請求項１に記載の散布型肥料。
【発明の詳細な説明】
【技術分野】
【０００１】
本発明は、散布型肥料に関する。
【背景技術】
【０００２】
農業用途では、農作物を安定に生産するため、肥料が用いられている。一般的に肥料は土中混和によって、根から吸収されることで、植物の生長を促進する。一方、土中混和の補助的施肥方法として、肥料を植物（茎及び葉面等）に直接散布する散布型肥料が注目されている。
散布型肥料を用いることで、生理障害の予防、養分不足による生育不良の早期回復、そして病害虫抵抗性の増強等が期待されている（特許文献１）。
しかし、従来の散布型肥料では、植物の生育及び病害の抑制が不十分であった。
【先行技術文献】
【特許文献】
【０００３】
【特許文献１】特許第１８８７１３２号
【発明の概要】
【発明が解決しようとする課題】
【０００４】
本発明は、植物の生育により有効であり、病害抑制性能にも優れた散布型肥料を提供することを目的とする。
【課題を解決するための手段】
【０００５】
本発明者らは、上記の目的を達成するべく検討を行った結果、本発明に到達した。すなわち、本発明は、粒子（Ａ）と、多糖（Ｂ）と、水とを含有する散布型肥料であって、
前記粒子（Ａ）が金属（ａ）酸化物及び／又は金属（ａ）塩であり、
前記金属（ａ）が、亜鉛、マンガン、鉄、モリブデン、銅、セリウム、銀及びアルミニウムからなる群から選ばれる少なくとも１種であり、
前記粒子（Ａ）の体積平均粒子径が１〜４００ｎｍである散布型肥料（Ｘ）である。
【発明の効果】
【０００６】
本発明の散布型肥料（Ｘ）は、以下の効果を奏する。
（１）植物の生育性に優れる。
（２）植物の病害抑制性能に優れる。
【発明を実施するための形態】
【０００７】
＜粒子（Ａ）＞
本発明における粒子（Ａ）は、金属（ａ）酸化物及び／又は金属（ａ）塩である。
前記金属（ａ）は、亜鉛、マンガン、鉄、モリブデン、銅、セリウム、銀及びアルミニウムからなる群から選ばれる少なくとも１種である。
金属（ａ）のうち、植物の生育性及び病害抑制の観点から、好ましいのは、亜鉛、マンガン、鉄、モリブデン、銅であり、更に好ましいのは亜鉛である。
前記金属（ａ）塩を構成する酸としては、種々の有機酸及び無機酸が挙げられる。
前記の有機酸としては、炭素数１〜２４のカルボン酸（ギ酸、酢酸、クエン酸、シュウ酸及びステアリン酸等）及び炭素数１〜２４のスルホン酸（メタンスルホン酸及びドデシルベンゼンスルホン酸等）等が挙げられる。
無機酸としては、塩酸、硝酸、リン酸、硫酸、ホウ酸及びフッ化水素酸等が挙げられる。
これらの酸の内、植物の生育性の観点から好ましいのは有機酸であり、更に好ましいのは炭素数１〜２４のカルボン酸であり、特に好ましいのは炭素数６〜２０のカルボン酸である。
また、金属（ａ）酸化物及び金属（ａ）塩のうち、植物の病害抑制の観点から好ましいのは金属（ａ）酸化物である。
【０００８】
粒子（Ａ）の体積平均粒子径は、１〜４００ｎｍであり、好ましくは５〜３００ｎｍ、更に好ましくは１０〜２００ｎｍであり、特に好ましくは１０〜１００ｎｍであり、最も好ましくは１０〜３０ｎｍである。
体積平均粒子径が１ｎｍ未満であると、工業的に製造が困難であり、４００ｎｍを超えると植物の生育促進及び病害抑制が不十分となりやすい。
粒子（Ａ）の体積平均粒子径は、例えば粒子（Ａ）を含有する本発明の散布型肥料について、動的光散乱法により分析することで測定できる。
具体的には、本発明の散布型肥料０．２ｇを水２００ｍＬ中にスターラーを用いて、２００ｒｐｍで回転させることで分散させたものを試料とし、これをレーザー回折式粒度分布測定装置［マイクロトラック（日機装（株）製）等］にて分析することで、散布型肥料が含有する粒子（Ａ）の体積平均粒子径を測定することができる。
【０００９】
粒子（Ａ）は、市販ものでもよいが、公知の方法で製造できる。例えば、金属（ａ）酸化物及び／又は金属（ａ）塩を粉砕機により微粉砕して製造してもよく、また、国際公開第２０１５／０８７９８７号に記載の方法により製造してもよい。
【００１０】
＜多糖（Ｂ）＞
本発明における多糖（Ｂ）としては、トウモロコシデンプン、α化デンプン、ヒドロキシプロピルメチルセルロースアセテートサクシネート、ヒドロキシプロピルメチルセルロースフタレート、カルボキシメチルセルロース、カルボキシメチルセルロース、ヒドロキシエチルセルロース、ヒドロキシプロピルセルロース及びヒドロキシプロピルメチルセルロース等が挙げられる。
これらの多糖の内、植物の生育性の観点から、好ましいのは、セルロース骨格を有する化合物（ヒドロキシプロピルメチルセルロースアセテートサクシネート、ヒドロキシプロピルメチルセルロースフタレート、カルボキシメチルセルロース、カルボキシメチルセルロース、ヒドロキシエチルセルロース、ヒドロキシプロピルセルロース及びヒドロキシプロピルメチルセルロース等）であり、更に好ましいのはカルボキシメチルセルロースである。
【００１１】
また、多糖（Ｂ）は、２５℃における水への溶解度が０．０１ｇ／水１００ｇ以上であることが好ましい。
【００１２】
＜散布型肥料（Ｘ）＞
本発明の散布型肥料（Ｘ）は、前記粒子（Ａ）と、多糖（Ｂ）と、水とを含有してなる。
散布型肥料（Ｘ）の重量に基づく、粒子（Ａ）と多糖（Ｂ）との合計重量の割合［（Ａ）と（Ｂ）との合計濃度］について、流通時は輸送コスト及び保管コストの観点から高濃度であって、実際の散布時は低濃度とすることができる。
散布時における散布型肥料（Ｘ）の重量に基づく、粒子（Ａ）と多糖（Ｂ）との合計重量の割合は、散布性及び植物の生育性及び病害抑制の観点から、好ましくは０．１〜２０重量％、更に好ましくは０．５〜１５重量％、特に好ましくは１〜１０重量％である。
また、粒子（Ａ）と多糖（Ｂ）との重量比［（Ａ）／（Ｂ）］は、植物の生育性及び病害抑制の観点から、好ましくは１０／９０〜９０／１０、更に好ましくは１５／８５〜８５／１５、特に好ましくは２０／８０〜８０／２０である。
【００１３】
散布型肥料（Ｘ）には、粒子（Ａ）、多糖（Ｂ）、水以外に、その他の成分（Ｊ）を含んでいてもよい。前記の（Ｊ）としては、水溶性の肥料（硫酸アンモニウム等）等が挙げられる。（Ｘ）の重量に基づいて、前記の（Ｊ）は、好ましくは０〜５重量％、更に好ましくは０．１〜３重量％である。
【００１４】
散布型肥料（Ｘ）は、粒子（Ａ）、多糖（Ｂ）、水、必要により（Ｊ）を混合して製造できる。必要により、分散機を用いてもよい。
【００１５】
本発明の植物の生育方法は、本発明の散布型肥料（Ｘ）を用いたものである。
本発明の散布型肥料（Ｘ）は、植物に散布して用いるものであるが、中でも植物の葉面に散布することで十分な植物の生育性及び病害抑制を発揮できるため、葉面に散布して用いる物であること好ましい。
例えば、葉に散布する場合、葉の面積に対する散布量は、好ましくは１〜２００ｇ／ｍ２、更に好ましくは３〜１００ｇ／ｍ２である。
【００１６】
本発明の散布型肥料（Ｘ）は、植物の生育性及び病害抑制に有効であるため、農業用途に、特に有用である。
また、散布型肥料（Ｘ）が生育促進に有効なのは、仮説ではあるが、植物の有する孔を経由して、散布型肥料（Ｘ）に含まれる粒子（Ａ）と多糖（Ｂ）との複合体が、効率よく植物に取り込まれ、前記効果を発揮できるためであると考えられる。
【実施例】
【００１７】
以下、実施例及び比較例により本発明を更に説明するが、本発明はこれらに限定されるものではない。以下、特に定めない限り、％は重量％、部は重量部を示す。
【００１８】
＜実施例１〜１８及び比較例１〜３＞
容器に、表１に記載の種類の粒子（Ａ）、多糖（Ｂ）及びイオン交換水を、表１に記載の部数で仕込み、スターラーを用いて、２００ｒｐｍで回転させることで、混合・分散させて、散布型肥料（Ｘ−１）〜（Ｘ−１８）及び比較用の散布型肥料（比Ｘ−１）〜（比Ｘ−３）を得た。
【００１９】
【表１】
2019031432.tif 000002
【００２０】
なお、表１において使用した各原料は以下のとおりである。
（Ａ−１）：酸化亜鉛［体積平均粒子径１００ｎｍ］
（Ａ−２）：酸化亜鉛［体積平均粒子径２０ｎｍ］
（Ａ−３）：酸化亜鉛［体積平均粒子径４００ｎｍ］
（Ａ−４）：ステアリン酸亜鉛［体積平均粒子径１５０ｎｍ］
（Ａ−５）：リン酸亜鉛［体積平均粒子径７０ｎｍ］
（Ａ−６）：酸化鉄（ＩＩＩ）［体積平均粒子径１１０ｎｍ］
（Ａ−７）：酸化マンガン［体積平均粒子径１３０ｎｍ］
（Ａ−８）：ステアリン酸銅［体積平均粒子径８０ｎｍ］
（Ａ−９）：酸化銀［体積平均粒子径４０ｎｍ］
（Ａ−１０）：酸化モリブデン［体積平均粒子径６０ｎｍ］
（Ａ−１１）：酸化セリウム［体積平均粒子径８０ｎｍ］
（Ａ−１２）：酸化アルミニウム［体積平均粒子径１００ｎｍ］
（比Ａ−１）：酸化亜鉛［体積平均粒子径４４０ｎｍ］
（比Ａ−２）：酸化チタン［体積平均粒子径６０ｎｍ］
上記の（Ａ−１）〜（Ａ−１２）及び（比Ａ−１）〜（比Ａ−２）は、国際公開第２０１５／０８７９８７号公報に記載の方法に基づいて、各原料となる粒子を粉砕し、上記の体積平均粒子径に調節した。なお、各粒子の体積平均粒子径は、後述の粒子（Ａ）を含有する散布型肥料（Ｘ）を分析して得られた値である。
【００２１】
（Ｂ−１）：カルボキシメチルセルロース［製品名：ダイセルＣＭＣ１１３０、（株）ダイセル製］
（Ｂ−２）：アクリル酸デンプン［製品名：アクリル酸デンプン３００、三洋化成工業（株）製］
（Ｂ−３）：α化デンプン［製品名：ＳＷＥＬＳＴＡＲＰＤ−１、旭化成（株）製］
（Ｂ−４）：トウモロコシデンプン［製品名：コーンスターチＷ、日本食品化工（株）製］
（Ｂ−５）：ヒドロキシプロピルセルロース［製品名：ＮＩＳＳＯ  ＨＰＣ、日本曹達（株）製］
（Ｂ−６）：ヒドロキシプロピルメチルセルロース［製品名：ＴＣ−５Ｅ、信越化学工業（株）製］
（Ｂ−７）：ヒドロキシプロピルメチルセルロースアセテートサクシネート［製品名：Ｓｈｉｎ−Ｅｔｓｕ  ＡＱＯＡＴ  ＡＳ−ＬＦ、信越化学工業（株）製］
（Ｂ−８）：ヒドロキシプロピルメチルセルロースフタレート［製品名：Ｓｈｉｎ−Ｅｔｓｕ  ＡＱＯＡＴＨＰＭＣＰ５０、信越化学工業（株）製］
（比Ｂ−１）：ポリアクリル酸［重量平均分子量５，０００、富士フィルム和光純薬（株）製］
【００２２】
得られた各散布型肥料（Ｘ）について、以下の方法で、含有する粒子（Ａ）の体積平均粒子径、生育促進性及び病害抑制性能を評価した。
【００２３】
＜含有する粒子（Ａ）の体積平均粒子径＞
得られた各散布型肥料（Ｘ）０．２ｇを水２００ｍＬ中にスターラーを用いて、２００ｒｐｍで回転させることで分散させたものを試料とし、これをレーザー回折式粒度分布測定装置［マイクロトラック（日機装（株）製）］により分析することで、粒子（Ａ）の体積平均粒子径を測定した。
【００２４】
＜生育促進性＞
得られた各散布型肥料（Ｘ）を、それぞれ＜キュウリ＞１０株、＜トマト＞１０株に、葉の面積に対して１０ｇ／ｍ２になるようにスプレーで散布した。
次に、ビニールハウス内で２２℃に温調しながら、２週間生育した。２週間後、植物の土壌から露出した植物の重量から、以下の式（１）における「生育促進性」を求め、評価を行った。結果を表１に示した。生育促進性が高い程、植物の生育性に優れることを示す。
生育促進性＝（植物の重量）×１００／（ブランクにおける植物の重量）      （１）
なお、式（１）における「ブランクにおける植物の重量」とは、各散布型肥料（Ｘ）を用いなかった以外は、同様に試験した場合の「植物の重量」を意味する。
また、各「植物の重量」は、まず、各株からランダムに採取した１０個の植物について、その重量を数平均し（各植物について１０株分の数平均値を得る）、その後１０株分の数平均値を更に数平均することで、算出した。
【００２５】
＜病害抑制性能＞
各得られた各散布型肥料（Ｘ）を散布した植物について、土壌病原菌であるＦｕｓａｒｉｕｍ  ｏｘｙｓｐｏｒｕｍ、Ｍｕｃｏｒ  ｐｌｕｍｂｅｕｓ、Ｐｅｎｉｃｉｌｌｉｕｍ  ｅｘｐａｎｓｕｍ、又は、Ｂｏｔｒｙｔｉｓ  ｃｉｎｅｒｅａによる病害に対する抑制能を、以下の方法で評価した。
【００２６】
各散布型肥料（Ｘ）を、それぞれ＜キュウリ＞１０株、＜トマト＞１０株に、葉の面積に対して１０ｇ／ｍ２になるようにスプレーで散布した。
次に、ビニールハウス内で２２℃に温調しながら、１日生育後に、葉全面にＦｕｓａｒｉｕｍ  ｏｘｙｓｐｏｒｕｍ、Ｍｕｃｏｒ  ｐｌｕｍｂｅｕｓ、Ｐｅｎｉｃｉｌｌｉｕｍ  ｅｘｐａｎｓｕｍ、又は、Ｂｏｔｒｙｔｉｓ  ｃｉｎｅｒｅａのイオン交換水懸濁液〔土壌病原菌の濃度：５×１０５個／ｍＬ濃度［濃度は分光吸光光度計を用いた濁度法により測定した。（測定波長：６００ｎｍ）］〕をスプレー接種した。これらの菌はいずれも独立行政法人製品評価技術基盤機構から入手し、１０ｃｍの滅菌済みペトリディッシュ上においてポテトデキストロース寒天培地（富士フィルム和光純薬（株）製）中で２４℃７日静置することで事前に調整したものである。
接種から１３日後葉に発生した病斑の葉面１ｃｍ２当たりの病斑部（壊死部及び崩壊部の合計）の面積を用いて、以下の方法で評価した。
葉面積計にて、ランダムで選択した葉２０枚の葉面積を測定した後、各葉に生じた病斑部を顕微鏡によって観察し、画像処理ソフト（ソフトウェア名：イメージＪ）によって、定量化することで、以下の式（２）で求めた「病害抑制率」で評価を行った。結果を表１に示した。病害抑制率が高い程、植物の病害抑制能に優れることを示す。
病害抑制率＝（葉面１ｃｍ２当たりの病斑部面積）×１００／（ブランクにおける葉面１ｃｍ２当たりの病斑部面積）      （２）
なお、式（２）における「ブランクにおける葉面１ｃｍ２当たりの病斑部面積」とは、各散布型肥料（Ｘ）を用いなかった以外は、同様に試験した場合の「葉面１ｃｍ２当たりの病斑部面積」を意味する。
また、各「葉面１ｃｍ２当たりの病斑部面積」は、まず、各株からランダムに選択した２０枚の葉について、その「葉面１ｃｍ２当たりの病斑部面積」を数平均し（各植物について１０株分の数平均値を得る）、その後１０株分の数平均値を更に数平均することで、算出した。
【００２７】
表１の結果から、実施例１〜１８の本発明の散布型肥料（Ｘ）は、比較例１〜３の比較用の散布型肥料と比べて、植物の生育促進性及び病害抑制性能に優れることがわかる。
【産業上の利用可能性】
【００２８】
本発明の散布型肥料（Ｘ）は、植物の生育性、植物の生育促進及び病害抑制性能に優れるため、園芸用途、農業用途に、きわめて有用である。